(57)【特許請求の範囲】
【請求項１】
中空なバイザピボットロッド（１１０）、前記バイザピボットロッドに係合するキャリア（１４０）及びスプリング機構（１３０）を備える車両バイザ（１００）であって、
前記スプリング機構（１３０）は少なくも部分的に前記キャリア（１４０）内にあり、
前記車両バイザ（１００）は、開放された長手方向側部を有するチャネル（１５０）を備え、前記キャリア（１４０）は前記チャネル（１５０）に沿ってスライドし、
ワイヤ（１６０）が前記バイザピボットロッド（１１０）を軸方向に通り抜けて前記チャネル（１５０）の前記長手方向側部から出ることを特徴とする車両バイザ（１００）。
【請求項２】
前記チャネル（１５０）は、前記バイザの主本体に直接的に又はエンドキャップ（１７０、１８０）の使用を介して固定され、
前記キャリア（１４０）は前記バイザピボットロッド（１１０）に前記スプリング機構（１３０）により取り付けられることを特徴とする請求項１記載の車両バイザ（１００）。
【請求項３】
前記スプリング機構（１３０）は、前記バイザピボットロッド（１１０）に圧縮力を提供する戻り止めスプリングアセンブリを備えることを特徴とする請求項１または２の何れか一項に記載の車両バイザ（１００）。
【請求項４】
前記戻り止めスプリングは前記バイザピボットロッド（１１０）に対して回転するか或いは旋回することを特徴とする請求項３記載の車両バイザ（１００）。
【請求項５】
前記キャリア（１４０）の断面積は前記チャネル（１５０）の断面積よりも大きいことを特徴とする請求項１乃至４の何れか一項に記載の車両バイザ（１００）。
【請求項６】
前記キャリア（１４０）は前記チャネル（１５０）の内部に抵抗スライド力を生成する絞まり嵌めによってはめ込まれることを特徴とする請求項１乃至５の何れか一項に記載の車両バイザ（１００）。
【請求項７】
前記キャリア（１４０）は前記チャネル（１５０）の長手方向の端部と係合するスロットを有し、前記チャネル（１５０）内の回転動作を低減するため、前記スロットは前記スロット内の中央に置かれた前記チャネル（１５０）の前記長手方向の端部を保持する傾斜壁を有することを特徴とする請求項１乃至６の何れか一項に記載の車両バイザ（１００）。
【請求項８】
前記キャリア（１４０）は付属物又は前記チャネル（１５０）内部にて圧縮される分離付加スプリング（１４１）を有することを特徴とする請求項１乃至７の何れか一項に記載の車両バイザ（１００）。
【請求項９】
エンドストップが前記キャリア（１４０）の取り付けのために設けられることを特徴とする請求項１乃至８の何れか一項に記載の車両バイザ（１００）。
【請求項１０】
前記エンドストップは前記エンドキャップ（１７０、１８０）であることを特徴とする請求項９記載の車両バイザ（１００）。
【請求項１１】
前記エンドキャップ（１７０、１８０）は基準面を前記チャネルの終端に提供することを特徴とする請求項１０に記載の車両バイザ（１００）。
【請求項１２】
一緒になって封止をなしかつ結合された二つの部分からなるバイザコア（１０１）を備えることを特徴とする請求項１乃至１１の何れか一項に記載の車両バイザ（１００）。
【請求項１３】
前記バイザピボットロッド（１１０）、前記チャネル（１５０）及び／又はワイヤ（１６０）は、前記二つの部分が結合された後に前記バイザコアによって適切な位置に保持され、及び／又は前記エンドキャップ（１７０、１８０）はスクリューによる取り付けの使用によって保持される請求項１２に記載の車両バイザ（１００）。
【請求項１４】
前記チャネル（１５０）の少なくとも一つの長手方向の端部は、丸められ、折り返され、及び／又は前記キャリア（１４０）と接触する鋭利な端部を避けるように丸められることを特徴とする請求項１乃至１３の何れか一項に記載の車両バイザ（１００）。
【請求項１５】
前記キャリア（１４０）は前記チャネルの折り返された又は丸められた長手方向の端部に係合するスロットを有する請求項１４記載の車両バイザ（１００）。
【発明の詳細な説明】
【技術分野】
【０００１】
（優先権の主張）
本明細書は、米国仮出願番号61/105,696（２００８年１０月１５日出願）、及び米国仮出願番号61/110,154（２００８年１０月３１日出願）の出願日の利益、及び参照として明確に組み込まれる内容の全てを主張する。
【０００２】
本発明は、可動可能な遮光範囲を有する車両サンバイザアセンブリに関する。
【背景技術】
【０００３】
上部と下部位置の間にて回転することを可能とするサンバイザを車両に設けることが周知である。バイザは、基本的に、バイザピボッドロッドの一端部を車両に結合するブラケットを設けるエルボによって車両に取り付けられる。バイザは、前記バイザピボッドロッドの他端部がその内部に延設するバイザ本体部を備える。前記車両のヘッドライナ近傍の位置から使用位置における様々な調整がなされる下部に、前記バイザを前記バイザピボットロッド上で回転させるように、トルクフィッティングは前記バイザ本体部と前記バイザピボットロッドとの間に拡がる。前記エルボーブラケットは、前記車両の側部から入射する太陽光を遮断するために、前記バイザをサイドウィンドウ位置に旋回させる。このタイプのバイザは、運転手の全視界方向ではなく、運転席のサイドウィンドウ及びフロントウィンドウの小さな部分から入り込むまぶしい光を遮光することができる。
【０００４】
遮光範囲を拡張するため、前記ピボットロッドにそってスライドするバイザ、つまりスライドオンロッド式（slide-on-rod, “SOR”）バイザが提案されてきた。現在のＳＯＲバイザは、閉じた、Ｄ−形状のチャネル（channel, 移動路体ということもある）又は前記バイザピボットロッド、キャリア（例えば、プラスチックガイド）、及び戻り止めスプリングが挿入され、さらにバイザピボットロッドがそれに沿ってスライドする２−ピースチャネルを用いる。前記Ｄ−形状のチャネルは、成形されたアルミニウム部品として、費用のかかる処理にて製造される。前記チャネルのＤ−形状、及び堅い壁部分は、動くための適切な抵抗を得るのを困難にする、それは所望される許容範囲について高すぎるか或いは低すぎるいかのいずれかである。チャネルの前記キャリアに対する緩い係合（fit）は、バイザの車両にて誘発される振動からの望ましくない雑音を引き起こす。前記緩い係合はさらに移動に十分な抵抗を与えるのを失敗させ、よってバイザを適切な位置に保持できなくする。
【発明の概要】
【０００５】
本発明は、車両のバイザに関し、バイザピボットロッド、前記バイザピボットロッド上のキャリア、前記キャリア内部のスプリング機構、及び第１エンド部及び第２エンド部を有するオープンチャネルを備え、前記キャリアの少なくとも一部分は、内部に延設する。
【０００６】
オープンチャネルの、及び前記キャリアは前記オープンチャネルに沿ってスライドする。前記車両バイザは、チャネルを備え、前記キャリアは前記チャネルに沿ってスライドする。好ましくは、前記スプリング機構は、前記ピボットロッドに圧縮力を提供する戻り止めスプリングアセンブリを備える。好ましくは、前記キャリアは前記チャネル内部にて圧縮される。好ましくは、所望にワイヤ量を減らすために、ワイヤが前記中空ロッド内を通り、前記オープンチャネルの側部に至る。好ましくは、前記キャリアの前記ＳＯＲ−動き用エンドストップが、さらに好ましくは前記チャネル内部に、設けられる。さらに好ましくは、前記エンドストップは、エンドキャップであり、最も好ましくは前記チャネルに堅く結合される。本発明の好ましい具現化例にあって、前記エンドキャップの表面は、前記キャリアの動きのための基準面を提供する。本発明のさらに他の好ましい具現化例にあって、前記車両のバイザは、結合され、好ましくは一緒になって封止をなす二つの部分を有するバイザコアを備える。好ましい具現化例にあって、前記ピボットロッド、前記チャネル、ワイヤ及び／又は前記エンドキャップはこれらの部品が結合された後、バイザコアによって適切な場所に保持される。特に、前記チャネルが開放されている場合には、前記チャネルの前記端部の少なくとも一方は、縁取りされ、好ましくは前記キャリアへの鋭利な端部の接触を避けるために前記端部の少なくとも一方を折り返しさらに／或いは丸くする。さらに他の好ましい具現化例にあって、前記キャリアは前記チャネルの縁取りされ丸められた端部に係合されるスロットを備える。本発明の他の主体は、中実又は中空のバイザピボットロッド、前記バイザピボットロッドに係合するキャリア及びスプリング機構を備える車両バイザである。スプリング機構は、前記キャリアに少なくとも部分的にある。
【０００７】
本発明にかかる装置及び方法の様々な具現化例のこれらの及び他の特徴及び利点は、本発明にかかる様々な装置、構成及び／又は方法の様々な具現化例の以下の詳細な説明、に記載され、或いはそこから明確に理解される。
【０００８】
本開示にかかるシステム及び方法の様々な具現化例が、以下の図面の参照により、詳細に説明される。
【図面の簡単な説明】
【０００９】
【図１】バイザを備える車両の断片的な斜視図である。
【図２】車両及びバイザの第２の断片的な斜視図である。
【図３】車両及びバイザの第３の断片的な斜視図である。
【図４】本発明にかかるピボットロッド、外側のエンドキャップ、及び戻り止めスプリングアセンブリの具体例の概略的な斜視図である。
【図５】図４の具体例の斜視図を一緒に組み合わせた図である。
【図６】図５の具体例にあって、２本のワイヤをピボットロッドに通した状態を示す斜視図である。
【図７】本発明にかかるオープンチャネルの具体例を図５の具現化例とともに示す概略的な斜視図である。
【図８】本発明にかかるオープンチャネル及び内部エンドキャップの具体例を図５の具現化例とともに示す概略的な斜視図である。
【図９】本発明にかかる組み立てられたスライドオンロッド機構の具現化例の斜視図である。
【図１０】本発明にかかる図９に示された前記機構にバイザを取り付けた具現化例の斜視図である。
【図１１】本発明にかかるピボットロッド、戻り止めスプリング、及びキャリアの分解図である。
【図１２】本発明の具現化例にかかるバイザの具現化例の部分的断面図である。
【図１３】本発明の第１の具現化例にかかるバイザの具現化例の概略図である。
【図１４】本発明にかかる第１の具現化例にかかるチャネルの具現化例の端部の部分的な斜視図である。
【図１５】本発明にかかる第２の具現化例にかかるチャネル及びキャリアの具現化例の端部を示す図である。
【図１６】本発明に係る第３の具現化例にかかるチャネルの具現化例の一部端部の図である。
【図１７】本発明に係る第４の具現化例にかかるチャネルの具現化例の端部の図である。
【図１８】本発明に係る第５の具現化例にかかるチャネル及びキャリアの具現化例の端部を示す図である。
【図１９】本発明に係る第６の具現化例にかかるチャネル及びキャリアの具現化例の端部の斜視図である。
【図２０】本発明に係る具現化例によるキャリアの具体例の斜視図である。
【図２１】本発明に係る具現化例によるチャネル及びキャリアアセンブリの具体例の端部の斜視図である。
【図２２】本発明に係る閉じたチャネルの第１の具現化例の部分的な斜視図である。
【図２３】本発明に係る閉じたチャネルの第２の具現化例の部分的な斜視図である。
【図２４】本発明に係る第１の具現化例による電気的なワイヤによって一体にされたピボットロッド、キャリア、チャネル及びバイザアセンブリの具現化例の部分的なエンド断面図である。
【図２５】本発明に係る第２の具現化例による電気的なワイヤによって一体にされたピボットロッド、キャリア、チャネル及びバイザアセンブリの具現化例の部分的なエンド断面図である。
【図２６】本発明に係る第３の具現化例による電気的なワイヤによって一体にされたピボットロッド、キャリア、チャネル及びバイザアセンブリの具現化例の部分的なエンド断面図である。
【図２７】本発明に係る第４の具現化例による電気的なワイヤによって一体にされたピボットロッド、キャリア、チャネル及びバイザアセンブリの具現化例の部分的なエンド断面図である。
【図２８】本発明に係る第５の具現化例による電気的なワイヤによって一体にされたピボットロッド、キャリア、チャネル及びバイザアセンブリの具現化例の部分的なエンド断面図である。
【図２９】本発明に係る具現化例による外側エンドキャップの具体例の部分的な断面図である。
【図３０】本発明に係る具現化例による内側エンドキャップの具体例の部分的な断面図である。
【図３１】本発明に係るバイザ本体部の第１の具体例の部分的斜視図である。
【図３２】本発明に係るバイザ本体部の第２の具体例の部分的斜視図である。
【図３３】ヘリが折り返されたエッジキャリアフィットを示す図である。
【図３４】チャネル内のエンドキャップを示す図である。
【発明を実施するための形態】
【００１０】
本発明は車両用のスライドするサンバイザに関する。本開示による設計は、従来の延伸されたアルミニウムチャネルを形成するよりも低コストであるプレス成形又はロール成形されたチャネルを提供する。この開示されるスライディングバイザは、前記ピボットロッドに取り付けられるキャリアアセンブリを含む。前記キャリアアセンブリは、前記バイザ本体部のチャネルに係合される。前記キャリアアセンブリは、広い調整範囲にてバイザを使用者に位置させる、前記チャネルに沿ってスライドする。
【００１１】
図１は、戻り止め又は収納位置におけるバイザ１００の具現化例を示す。図２は、ピボットロッド１１０の周りを下方又は使用位置に向けて回転された図１のバイザ１００を示す。図３はサイドウィンドウでの使用位置にある図１のバイザ１００を示す。
【００１２】
図４はピボットロッド１１０、外側エンドキャップ１７０、戻り止めスプリングアセンブリ１３０、キャリア１４０、及びスプリング負荷がかけられるボタン１２０の具現化例を示す。図５に示すように、ピボットロッド１１０は外側エンドキャップ１７０を通り、さらに戻り止めスプリングアセンブリ１３０にはめ込まれる。図２４に示されるように、様々な具現化例にあって、１本以上のワイヤ１６０がピボットロッド１１０を中を通り、外に出る。一本以上のワイヤ１６０はオープンチャネル１５０に至り、前記バイザ上の、化粧灯のような、部品に短い電気的な接続を提供する。
【００１３】
図７及び８は、図２４のアセンブリ、及びオープンチャネル１５０の一具現化例及びエンドキャップ１８０の内部を示す。図２７に示されるように、戻り止めスプリングは、チャネルの中に、さらにチャネルに沿ってスライドする。図８に示すように、スプリング負荷がかけられるボタン１２０は、スライド抵抗を提供するチャネル１５０に嵌る。内側エンドキャップ１８０及び外側エンドキャップ１７０は、対向するエンドにて前記チャネルに嵌る。様々な具現化例にあって、内側エンドキャップ１８０及び外側エンドキャップ１７０は、摩擦フィットによってチャネル１５０にはめ込まれる。オープンチャネル１５０は、一本以上のワイヤ１６０を、その長さに沿ったいかなるポイントにても前記チャネルへの入り口及び／又は出口に向かわせる。
【００１４】
図１０は前記チャネル１５０及び具体的なバイザ１００の他の部品を示す。チャネル１５０は、前記バイザの内部に嵌り、さらにそこに固定的に取り付けられる。前記バイザは、チャネル１５０を閉じ、さらに覆う。
【００１５】
様々な具現化例にあって、図１１に示されるように、ピボッドロッド１１０の断面は、大よそ環状である。他の具現化例にあって、他の左右対称の又は非対称の形状が用いられる。
【００１６】
様々な具現化例にあって、図１１に示されるように、バイザ１００をピボットロッド１１０に相対的にスライドすること及びピボットロッド１１０の周りを回転させる機構は、ピボットロッド１１０に取り付けられ、キャリア１４０の周りに配置される、戻り止めスプリングアセンブリ１３０を備える。戻り止めスプリングアセンブリ１３０は、ピボットロッド１１０に圧縮力を提供する。戻り止めスプリングアセンブリ１３０は、ピボットロッド１１０に相対的に回転又は旋回するので、バイザ１００が収納位置と使用位置との間にて動かされる。戻り止めスプリングアセンブリ１３０によって提供されるピボットロッド１１０上の前記圧縮力は、特に前記戻り止め位置にあって、回転に抵抗する。図１１及び１２に示されるように、キャリア１４０は、バイザ１００本体に結合されるチャネル１５０の中にフィットする。様々な具現化例にあって、キャリア１４０は、チャネル１５０に沿ってスライドし、バイザ１００をピボットロッド１１０に相対的にスライドさせる。いくつかの具現化例にあっては、キャリア１４０は、チャネル１５０に収縮し、さらにシステム内にあって緩むことを低減又は排除する手段を提供させるために、チャネル１５０内に係合させる。また、いくつかの具体例にあっては、キャリア１４０は、装置内にて緩みを低減又はなくすための手段を提供するように、付属肢１４２、あるいはチャネル１５０の内部にて収縮するスプリング１４１が加えられた分離部を有する。
【００１７】
図１３は、バイザ１００の具現化例を示す。ピボットロッド１１０は、戻り止めスプリングアセンブリ１３０に取り付けられ、さらにピボットロッド１１０はキャリア１４０に係合される。キャリア１４０は、チャネル１５０に沿ってスライドする。
【００１８】
様々な具現化例にあって、チャネル１５０は種々の形状を採ることができる。図１４−２１は、チャネル１５０及びキャリア１４０が採ることができる様々な種々の形状のいくつかを表わす。いくつかの具現化例にあって、チャネル１５０は、開口部が非常に小さいとはいえ、その周囲を完全に囲んではいない。いくつかの具現化例にあって、キャリア１４０は、チャネル１５０の形状と同一の必要はないが、似ている外観形状を有する。構成要素は、全体的に、それらが共に係合し、キャリア１４０が、いかなる方向でも、はっきりそれと分かる動きを許すことなく、チャネル１５０の長手方向に沿ってスライドできるような、形状とされている。
【００１９】
図１４に示されるように、種々の具現化例にあっては、チャネル１５０は完全に環状ではない。このチャネル１５０は、基本的なC−形状の特徴を有する。この具体例は、さらに傾斜面を伴う断面のチャネルを有する。上部の傾斜コーナーはチャネルをバイザの丸められた形状の上部に係合させる。下部の傾斜面は、回転の間キャリアのスライド動作を減らす。これらの傾斜面は、丸められ、同じ機能を提供する。伝統的な押し出し成形方法は、本発明にかかるチャネルを形成することもできる「D」形状の断面を作り出す丸められた上部と平坦な底部とを形成する。
【００２０】
図１５はチャネル１５０とキャリア１４０の他の具体例を示す。チャネル１５０は、チャネル１５０とキャリア１４０の間に締まった係合を形成できる形状である。図５によれば、様々な具現化例のなかで、チャネル１５０は、少なくともキャリア１４０の一部をチャネル１５０内に収容でき、さらに、チャネル１５０からキャリア１４０を引き離す力に抗して、チャネル１５０のキャリア１４０を保持できるように適用された形状を有する。様々な具現化例にて、チャネル１５０は、与えられた軸にて左右対称であるかもしれないし、左右対称でないかもしれない。図１６は、チャネルの第３の具現化例を現す。Ｖ-形状の保持曲がり(retaining bends)１５５は、オープンスペースの両側に形成される。図１７はＶ-形状の保持曲がり１５５の他の具体例を示す。図１８にあって、チャネルは、保持曲がり１５５と共に示される。図１９は、保持曲がり１５５の他の具体例とチャネル１５０の他の具体例とを示す。図２０は、図１８に示したようなチャネルのようなチャネル１５０との動作に適用されるキャリア１４０の一具現化例を示す。
【００２１】
従来のＣ-形状チャネルは、バイザが前記ピボットロッドの周りを回転するときに収縮及び曲がるので、それによって前記チャネルは前記キャリアから切り離されるかもしれない。図１５−１９及び２１は、前記バイザの回転中のこの問題を、チャネルを開放するよりも閉じさせる、フォースベクトルを形成する断面形状を持たせることで、低減及び無くすことができることを示す。このチャネルの閉鎖は、さらに回転中のキャリアの動きと雑音とを低減する。
【００２２】
図２２及び２３は、閉じた断面のチャネルを示す。様々な具現化例にあって、閉じたチャネルは、例えば、スタンプ又はロール成形加工プロセスによるトグルロック（図２２参照）又はヘリ（図２３参照）によって製造される。閉じた断面の他の具体例は、押し出し加工、溶接加工、リベット加工、接着加工、又は材料を結合する他の同様なプロセスによって形成される。
【００２３】
バイザは、照明されるバニティミラー及び／又はガレージドアオープナー送信機、メモ記録機、又は他の電気的アクセサリのような電力駆動アクセサリを備える。前述したようなアクセサリへの電力供給は、一般的には前記バイザピボットロッド及びチャネル内部のバニティを通る一本以上のワイヤを通して提供される。これは、バイザがいっぱいに伸ばされるとき、それが直接のルートよりも十分に長い距離であるので、チャネルの端部に達するため、及び一つ以上の電気的アクセサリを指示するために十分な長さのワイヤを要求する。
【００２４】
図２４に具体的に挙げるようないくつかの具現化例にあって、キャリア１４０及びチャネル１５０の選択された形状は、その選択された形状がキャリア１４０の内部及びバイザ１００の間における一本以上のワイヤ１６０の配線を容易にするように形成される。他のバイザの設計とは異なり、ワイヤ１６０は前記ピボットロッド１１０にチャネル１５０の長さを足した長さまで延びるのに十分である必要はない（バイザがその全ての能力でスライドするとき）。その代わり、ピボットロッド１１０の内部を介してバイザ１００内部を通るワイヤ１６０は、キャリア１４０又はピボットロッド１１０の端部の何れか一つの予め選択された位置にてピボットロッド１１０を出て、さらにチャネル１５０の開口を通り、バイザ１００コアに至る。いくつかの具現化例にあって、前記ワイヤ１６０は、バイザピボットロッド１１０を出る。このように、前記ワイヤ１６０は、ピボットロッド１１０に対するバイザ１００の動きによって（或いは、言い換えると、チャネル１５０に対するキャリア１４０の動きによって）影響されないように設計される。
【００２５】
図２２−２５を参照すると、チャネル１５０及びバイザコア１０１（バイザコアの一方の半分しか示されていないが）は、様々な取り付けデバイスを備える。バイザコア１０１は、構造的強度を与えるリブ１０３を備えてもよい。チャネル１５０は、リブ１３０に取り付けられる。一つ以上の突起又はフック１０２がリブ１０３又はバイザコア１０１の他の部分から延びる。チャネル１５０は、タブ又はリブ１０３又はフック１０２に取り付けられるフランジ１５１を備える。チャネル１５０は、スロット又はホール１５３のような開口を備えても良い。フック１０２又はバイザコア１０１の他の特徴は、スロット又はホール１５３に取り付けられる。図２６を参照すると、チャネル１５０は、刻み又は、キャリア１４０とチャネル１５０の間でしっかりした係合を作り出すチャネル１５４を備えてもよい。
【００２６】
ここで、図２９及び３０を参照すると、バイザ１００は外側エンドキャップ１７０及び内側エンドキャップ１８０に取り付けられる。様々な具現化例にあって、前記外側エンドキャップ１７０及び内側エンドキャップ１８０は、それぞれチャネル１５０（図示せず）に摩擦係合により取り付けられる。さらに、ホールは、前記エンドキャップがスナップ（snap）されるか或いはタブ（tab）されるチャネルの端部に加えられる。前記エンドキャップは、前記チャネルに、ヒートステーク(heat steak)、ねじ止め、インサートモールディング、接着ボンドなどのような他の従来の手段にて堅く取り付けられる。すなわち、チャネル１５０の端部には、外側エンドキャップ１７０及び内側エンドキャップ１８０が挿入される。図２９は、外側エンドキャップ１７０の一具現化例を示す。ピボットロッド１１０は、外側エンドキャップ１７０内のガイド１７１を通る。図３０は、内側エンドキャップ１８０の一具現化例を示す。前記エンドキャップ１７０及び１８０は、前記チャネル１５０に結合されるキャリアアセンブリ１９０の保持を助け、さらに前記ピボットロッド１１０に対して動くバイザ能力制限を確定するのを助ける。外側エンドキャップ１７０及び内側エンドキャップ１８０は、バイザ１００に取り付けられる。これは、例えば、スクリュー、リベット、ヒートステーク、などのような様々な方法によって達成される。
【００２７】
図３１は、複数の並列のリブ１０３及び、複数の並列のリブ１０３に垂直でかつ複数の並列のリブ１０３に接続されている単一のリブ１０３を有するバイザ１００の第１の具現化例の断面図を示す。図３１に示される具現化例にあって、単一のリブ１０３は、前記複数の並列のリブ１０３の反対側の前記単一のリブ１０３の側部からその長さを延ばす狭い下向き突起１０２を有する。前記狭い突起１０２は、一つ以上の三角形状の補強板１０６によって支持されてもよい。前記狭い突起１０２は、前記単一のリブ１０３を前記チャネル１５０に直接的に取り付けるか或いは前記単一のリブ１０３をチャネル１５０上のフランジ１５１（図２５）を通して取り付ける。この取り付けは、例えば、前記突起の下の摩擦係合、ボンディング、ファスナ、あるいはその組み合わせなどによっても行われる。
【００２８】
図３２は、複数の並列なリブ１０３及び４つのファーザフック１０４を伴う他のバイザ１００の断面を示す。ファーザフック１０４は、バイザ１００の側部に接続され、二つの側部と二つの端部上に開放するスロットを特定する上部とを備える。チャネル１５０は、ファーザフック１０４を介してバイザ１００に取り付けられる。これは、例えば、摩擦フィット、接着、ファスナなどのような、付加的な固締機構によって固定される、スロットに係合されるタブによって達成される。さらに、ファーザフック１０４は、バイザコア１００のホールを通して仕上げられるバイザコア１００によって形成される同様の特徴によって置き換えられる。ファーザフックの数及び配置は、様々である。
【００２９】
ＳＯＲバイザの従来のチャネルは、環状形状を一般的に有し、さらにアルミニウムの突起及び複数の要素を有するチャネルによって形成されている。様々な具現化例にあって、本発明に係るチャネル１５０は、環状であるよりも開放している。様々な具現化例にあって、前記チャネルは金属で出来ているが、前述したような機能を果たす充分な強度及び耐久性の他の材料によって形成されていてもよい。様々な具現化例にあって、前記金属のチャネル１５０は、ロール成形される。様々な具現化例にあって、前記金属のチャネル１５０は、シート状金属をロール成形してなる。他の具現化例は、他の手段によって形成されてもよい。例えば、チャネル１５０はポリマーをモールディング及び／又は押し出し加工することによって形成される。他の具現化例は、スタンピング又は薄肉押し出し成形などの処理によって製造されてもよい。
【００３０】
様々な具現化例によれば、広い許容値のため、さらにはきつい係合を有するように、前記キャリアは前記チャネルにあらかじめ入れられてもよい。前記チャネル開口は、前記キャリアを「つかみ」さらに回転及びスライド動きを通して雑音低減はもちろんスライド抵抗を提供する。
【００３１】
様々な具現化例によれば、前記チャネルは前記チャネル内のキャリアの動きを制限し、さらに動きが発生したときにダンパとして作用する傾斜面を有する。傾斜面は、開放又は閉鎖、又は例えば押し出し成形、ロール成形、又はスタンプ成形のような製造処理であるか否かにかかわらず、いかなるチャネル設計に適用される。
【００３２】
本記載における相対的な位置（例えば、「上部」及び「底部」）の基準は図にあって単に様々な要素を識別するために用いられことに留意すべきである。特別な部品の方向はそれが用いられるところの用途に依存して大きく変動するかもしれないことに留意されるべきである。
【００３３】
本開示の目的にあって、用語「結合」及び／又は「取り付け」は二つの部材を直接的又は間接的に相互に一体にすることを意味する。そのような一体化は、実際には静的であり、あるいは動的である。そのような一体にすることは、二つの部材、又は二つの部材と単一のひとまとまりの本体として相互に或いは二つの部材として一体に形成される他の中間部材、或いは二つ部材と相互に取り付けられる他の中間部材によって実現される。そのような一体にすることは、実際には永久的であったり、着脱可能であってもよい。
【００３４】
ここで用いられる、用語「約」、「だいたい」、「概ね」さらには類似した用語は、本開示が関連する発明の主題の技術における通常の技術者によって共通の及び容認された使用と調和した広い意味を持つことを意図している。本開示を理解する当業者によれば、これらの用語は、記載され請求される特定の特徴の記述を、これらの特徴の範囲を正確な数字範囲を提供して狭くすることなく、許容することを意図していることを理解できるであろう。つまり、これらの用語は、記述されたまたはた請求された発明の主題の架空の又は重要でない改良又は変更が、従属請求項に記載されているような発明の範囲内にて考慮されているのを示しているとして理解されるべきである。
【００３５】
図面はスケールが必要でないことを理解すべきである。ある実施例にあっては、発明の理解に不要な詳細、或いは理解することを困難とする他の詳細は、省略される。もちろん、本発明は本明細書にて説明された特定の具現化例に制限されるものではないことを理解すべきである。
【００３６】
具現化例に示されているようなバイザの部品の構成及び配置は実例のみであることに留意するのが重要である。本発明に係る２、３の具現化例のみが詳細を説明されているが、多くの改良（例えば、サイズ、寸法、構成、及び形状のバリエーション、様々な部品の比率、パラメータの値、取り付け配置、材料、色、方向の使用又は選択など）が、記載された発明の主題の新規な技術及び利点から実質的にそれることなく、可能であることを容易に理解すべきである。例えば、一体に形成されたとして示された部品は、複数の部品により形成されてもよいし、複数の部品として示された部品は一体に形成されてもよい、またインターフェースの動作は逆とされてもあるいは変動されてもよいし、構造及び／又は長さ又は幅、或いはシステムのコネクタ又は他の部品は、変えられてもよいし、及び／又は複数の部品の間に提供された調整位置の性質又は数は変えられてもよい（例えば、係合スロットの数又は係合スロットのサイズ又は係合スロットのタイプのバリエーションにより）。システムの部品及び／又はアセンブリは色、テキスチャ及びコンビネーションの幅広い範囲からのいくつかから形成されることに留意すべきである。つまり、全て改良は本開示の範囲内であることを意図している。他の代替、改良、変形、又は省略が、本開示の思想から逸脱することなく、設計、動作条件、及び好ましい又は他の具現化例の配置にてなされる。
【００３７】
図３３はチャネル１５０内部のキャリア１４０を示す。チャネルの端部は鋭利な端部を避けるために曲折される。曲折される端部の一つは、キャリアの中の溝に挿入される。これは、前記チャネル内の前記端部の動きの間、前記キャリアの案内を最適化する。さらに、前記チャネルは、わずかに前記キャリアよりも小さいので、前記チャネルは矢印によって識別される領域に、前記キャリアに対して押される。
【００３８】
図３４は、一緒になって封止をなす二つの部分１０１．１及び１０１．２によってなるバイザコアを示す。両方の部分とも、好ましくは前記チャネルに直交して配置され、さらに前記コア内部にて前記チャネルに取り付けられるリップ２００を備える。図３４からわかるように、前記チャネルの終端領域にあって、エンドキャップは前記チャネルのなかに挿入される。前記エンドキャップのウェッジ３００は前記チャネル終端を開ける。
【図１】
0005542828.tif 000002
【図２】
0005542828.tif 000003
【図３】
0005542828.tif 000004
【図４】
0005542828.tif 000005
【図５】
0005542828.tif 000006
【図６】
0005542828.tif 000007
【図７】
0005542828.tif 000008
【図８】
0005542828.tif 000009
【図９】
0005542828.tif 000010
【図１０】
0005542828.tif 000011
【図１１】
0005542828.tif 000012
【図１２】
0005542828.tif 000013
【図１３】
0005542828.tif 000014
【図１４】
0005542828.tif 000015
【図１５】
0005542828.tif 000016
【図１６】
0005542828.tif 000017
【図１７】
0005542828.tif 000018
【図１８】
0005542828.tif 000019
【図１９】
0005542828.tif 000020
【図２０】
0005542828.tif 000021
【図２１】
0005542828.tif 000022
【図２２】
0005542828.tif 000023
【図２３】
0005542828.tif 000024
【図２４】
0005542828.tif 000025
【図２５】
0005542828.tif 000026
【図２６】
0005542828.tif 000027
【図２７】
0005542828.tif 000028
【図２８】
0005542828.tif 000029
【図２９】
0005542828.tif 000030
【図３０】
0005542828.tif 000031
【図３１】
0005542828.tif 000032
【図３２】
0005542828.tif 000033
【図３３】
0005542828.tif 000034
【図３４】
0005542828.tif 000035